(57)【特許請求の範囲】
【請求項１】
データの送受信を行う通信機器であって、
縁部の一部に凹部が形成されているケースと、
前記データの送受信の状態を報知する複数の表示灯とを有し、
複数の前記表示灯のそれぞれは、前記ケースの内部に設けられている発光部と、前記凹部に配置され、前記発光部から出射される光を前記ケースの外方へ出射させる平面状の点灯部と、前記発光部から出射される光を前記点灯部へ導く導光部とを有し、
前記点灯部は、前記ケースの中央側から前記縁部に向かう方向に沿って、前記通信機器の内方側へ傾斜しており、
複数の前記点灯部の表面において、隣接する前記点灯部の境に境界壁が設けられている通信機器。
【請求項２】
前記点灯部は、前記ケースの表面に対し４５°で傾斜している請求項１に記載の通信機器。
【請求項３】
前記導光部は筒状であり、一方の端部は前記発光部の周囲を囲み、他方の端部は前記点灯部に覆われている請求項１又は２に記載の通信機器。
【請求項４】
前記点灯部と前記導光部とは一体的に形成され、かつ前記点灯部及び前記導光部は前記ケースに一体的に形成されている請求項１〜３のいずれか一項に記載の通信機器。
【請求項５】
前記点灯部は、その厚さが前記ケースの前記点灯部以外の部分の厚さよりも薄くなるよう形成されている請求項１〜４のいずれか一項に記載の通信機器。
【請求項６】
前記点灯部の表面は、複数の微小な突起を有する艶消しシボ面で構成されている請求項１〜５のいずれか一項に記載の通信機器。
【請求項７】
請求項１〜６のいずれか一項に記載の通信機器が着脱自在に取り付けられる空気調和機。
【請求項８】
前記通信機器は、前記空気調和機の内部において、前記空気調和機を構成する部材により前記表示灯を覆うことが可能な位置に取り付けられる請求項７に記載の空気調和機。
【発明の詳細な説明】
【技術分野】
【０００１】
本発明は、電子機器とデータの送受信を行う通信機器、及び当該通信機器を備えた空気調和機に関するものである。
【背景技術】
【０００２】
近年、オフィスビル、ホテル及び住宅等に、ＨＥＭＳ（Ｈｏｍｅ  Ｅｎｅｒｇｙ  Ｍａｎａｇｅｍｅｎｔ  Ｓｙｓｔｅｍ）及びスマートグリッド等を導入して、機器の遠隔制御及び集中管理制御等を行い、エネルギー管理、利便性の向上及び省エネルギー化などを実現することに対する需要が高まっている。【０００３】
Ｗｉ−Ｆｉ（登録商標、以下省略）通信は、欧州及び北米等を中心に、オフィスビル、ホテル及び住宅等への普及が進んでいる。Ｗｉ−Ｆｉ通信に対応した携帯端末も急速に普及しており、今後、携帯端末等を利用して機器の制御等を行うことに、需要が高まることが見込まれている。【０００４】
従来から、機器と機器との接続を行う通信機器が知られている（特許文献１参照）。特許文献１の通信機器は、回動自在なカバーを有しており、カバーを回動させることによって、全ての並んでいる表示灯を露出させた表示状態と、全ての並んでいる表示灯を遮蔽した非表示状態とを切り替えることができる。特許文献１の通信機器では、通信状態等を確認する必要がないときに、全ての表示灯を遮蔽した非表示状態にすることによって、表示灯の点灯及び点滅が目障りにならないようにしている。
【先行技術文献】
【特許文献】
【０００５】
【特許文献１】特開２００５−３１６７５１号公報（第３頁、図１）
【発明の概要】
【発明が解決しようとする課題】
【０００６】
しかしながら、特許文献１に記載の通信機器は、表示状態において表示灯を一方向からしか視認することができない。また、通信機器の設置状況によっては、視認できるはずの方向から表示灯を見難い場合がある等の問題がある。【０００７】
本発明は、上記のような課題を解決するためになされたものであり、視認性を向上させた通信機器、及びその通信機器を備えた空気調和機を提供することを目的とする。
【課題を解決するための手段】
【０００８】
本発明に係る通信機器は、データの送受信を行う通信機器であって、縁部の一部に凹部が形成されているケースと、前記データの送受信の状態を報知する複数の表示灯とを有し、複数の前記表示灯のそれぞれは、前記ケースの内部に設けられている発光部と、前記凹部に配置され、前記発光部から出射される光を前記ケースの外方へ出射させる平面状の点灯部と、前記発光部から出射される光を前記点灯部へ導く導光部とを有し、前記点灯部は、前記ケースの中央側から前記縁部に向かう方向に沿って、前記通信機器の内方側へ傾斜しており、複数の前記点灯部の表面において、隣接する前記点灯部の境に境界壁が設けられているものである。
【発明の効果】
【０００９】
本発明に係る通信機器によると、点灯部はケースの中央側から縁部に向かう方向に沿って、通信機器の内方側へ傾斜している。従って、点灯部を通信機器の正面及び側面の２方向から視認することができる。また、点灯部を傾斜させることにより、点灯部をケースの平面と平行な面に沿って配置する場合に比べ、ケースの横方向の長さを抑えつつ、広い発光面積を確保することができる。
【図面の簡単な説明】
【００１０】
【図１】本発明の実施の形態に係る通信機器が内蔵された空気調和機の一例を示す斜視図である。
【図２】図１の線Ａ−Ａ矢視断面図である。
【図３】図１の線Ａ−Ａ矢視断面の部分拡大図である。
【図４】図１に記載の空気調和機の前面パネルを開けた状態を示す斜視図である。
【図５】図４の部分拡大図である。
【図６】図１に記載の空気調和機が接続されたネットワークの模式図である。
【図７】実施の形態に係る通信機器の正面図である。
【図８】実施の形態に係る通信機器の斜視図である。
【図９】実施の形態に係る通信機器の分解斜視図である。
【図１０】図７の線Ｂ−Ｂ矢視断面図である。
【図１１】図７の線Ｃ−Ｃ矢視断面図である。
【図１２】実施の形態に係る通信機器の上ケースの凹部の部分拡大図である。
【図１３】実施の形態に係る通信機器の上ケースの裏面図である。
【発明を実施するための形態】
【００１１】
以下に、本発明における通信機器及び空気調和機の実施の形態を図面に基づいて詳細に説明する。なお、以下に説明する実施の形態によって本発明が限定されるものではない。また、以下の図面においては各構成部材の大きさは実際の装置とは異なる場合がある。
【００１２】
実施の形態．
図１は、本発明の実施の形態に係る通信機器が内蔵された空気調和機の一例を示す斜視図である。空気調和機１００は、例えば室内の壁などに取り付けられ、被空調空間の空調を行うものである。空気調和機１００は、前面パネル１０１と、吸込口１０２と、吹出口１０４とを備える。吸込口１０２は、空気調和機１００の上側に設けられ、吹出口１０４は、空気調和機１００の下部正面側に設けられている。空気調和機１００の内部には、図示を省略してある送風機及び熱交換器等が設置されている。吸込口１０２から取り込まれた室内空気は、熱交換器で熱交換が行われて、吹出口１０４から空調空気として吹き出される。前面パネル１０１は、空気調和機１００の筐体の室内側に配設され、筐体の上部において、長手方向に沿った軸周りに回転自在に支持されている。
【００１３】
図２は、図１の線Ａ−Ａ矢視断面図である。図３は、図１の線Ａ−Ａ矢視断面の部分拡大図である。図４は、図１に記載の空気調和機の前面パネルを開けた状態を示す斜視図である。図５は、図４の部分拡大図である。図２〜図５に示されるように、通信機器１は、空気調和機１００の内部において、前面の上方に形成された収納部１０３に収納される。通信機器１は、空気調和機１００に内蔵され、空気調和機１００の制御部、外部の端末及び外部の機器とデータの送受信を行う機器である。
【００１４】
収納部１０３の前面側には薄板状の係止部１０３Ａ及び係止部１０３Ｂが形成されている。通信機器１は収納部１０３に収納された状態において係止部１０３Ａ及び係止部１０３Ｂにより係止されている。空気調和機１００内の熱交換器への埃の付着を防ぐフィルター（図示を省略）の清掃を行うための前面パネル１０１を閉じることにより、通信機器１は覆われる。すなわち、通信機器１を収納部１０３に収納し、前面パネル１０１を閉じることにより、通信機器１は、空気調和機１００の内部に取り付けられた状態において、空気調和機１００の部材により覆われる。前面パネル１０１を開くことにより、通信機器１は露出する。通信機器１は、係止部１０３Ａ及び１０３Ｂと係止している部分を上方に持ち上げ、係止部１０３Ａ及び１０３Ｂを乗り越えさせることにより、収納部１０３から取り出される。以上のように、通信機器１は、空気調和機１００に対して着脱自在である。
【００１５】
尚、本実施の形態では、通信機器１は、空気調和機１００の内部の収納部１０３に着脱自在に取り付けられるが、これに限るものではない。空気調和機１００の筐体の外周面の所定の箇所に着脱自在に外付けるよう通信機器１を構成してもよい。また、空気調和機１００が設置される室内の壁面に取り付けるよう通信機器１を構成してもよい。
【００１６】
図６は、図１に記載の空気調和機が接続されたネットワークの模式図である。通信機器１は、後述する接続ケーブルを有しており、接続ケーブルが空気調和機１００の制御部１０５に接続されることで、通信機器１と空気調和機１００との間でデータの送受信が可能となる。空気調和機１００は、内蔵された通信機器１を介してＬＡＮ（Ｌｏｃａｌ  Ａｒｅａ  Ｎｅｔｗｏｒｋ）２００に接続されており、端末３００及び他の機器４００等と通信を行うことができる。本実施の形態において、ＬＡＮ２００は、例えばＷｉ−Ｆｉ等の無線ＬＡＮである。端末３００は、例えばＬＡＮ２００に接続することができるスマートフォンまたはパーソナルコンピュータ等である。他の機器４００は、例えば家庭内に設置された冷蔵庫、洗濯機または照明等の電気機器である。ユーザは、端末３００を利用して、空気調和機１００とデータの送受信を行うことができる。例えば、ユーザは、端末３００を利用して、空気調和機１００の遠隔操作及び空気調和機１００の消費電力の管理等を行うことができる。
【００１７】
本実施の形態において、ＬＡＮ２００は無線ＬＡＮであるが、有線ＬＡＮ、または無線ＬＡＮと有線ＬＡＮとを含むものであってもよい。通信機器１は、ＬＡＮ２００を介さずに、端末３００と直接的にデータの送受信を行うことができる機能を有するものであってもよい。また、通信機器１は、他の機器４００の一部を構成し、端末３００及び空気調和機１００等と通信を行うものであってもよい。
【００１８】
図７は、実施の形態に係る通信機器の正面図である。図８は、実施の形態に係る通信機器の斜視図である。図９は、実施の形態に係る通信機器の分解斜視図である。図１０は、図７の線Ｂ−Ｂ矢視断面図である。図１１は、図７の線Ｃ−Ｃ矢視断面図である。図１３は、実施の形態に係る通信機器の上ケースの裏面図である。通信機器１は、ケース８と、操作部１１と、表示灯群１２と、内ケース５と、電子回路基板とを有している。図８〜図１０に示すように、ケース８は、下ケース２と上ケース７とを有している。下ケース２は、矩形のプレート２１と、プレート２１の縁部に形成された内壁２２と有している。プレート２１と内壁２２とにより、基板収容部２３が形成されている。上ケース７は、矩形のプレート９１と、プレート９１の縁部の全周にわたって形成された外壁９２と有している。プレート９１と外壁９２とにより、基板収容部９３が形成されている。上ケース７は、例えば、ＡＢＳ（Acrylonitrile、Butadiene、Styrene）樹脂等の白色等で薄肉により透光性を有する材質で形成されている。下ケース２と上ケース７は、それぞれの開口部を対向させて組み合わされ、ケース８は全体として直方体の箱形を呈している。
【００１９】
操作部１１は、例えば複数の押しボタンスイッチで構成されており、上ケース７のプレート９１の略中央に形成されている。ユーザは操作部１１を操作して、例えば、通信機器１の設定やリセット等を行うことができる。
【００２０】
内ケース５は、弾性を有する樹脂材料で形成されており、フランジ部５１を有する。内ケース５は、フランジ部５１を下ケース２の内壁２２の外側に嵌合するよう、下ケース２に取り付けられている。基板収容部２３の開口は内ケース５により覆われている。電子回路基板４は、下ケース２の基板収容部２３と内ケース５と上ケース７の基板収容部９３とで形成された空間に収容されている。以上の構成により、電子回路基板４が収容されている空間への埃等の侵入が防止される。
【００２１】
上ケース７のプレート９１において、長手方向に延びる縁部の一部に凹部７１が形成されている。表示灯群１２は凹部７１に配置されており、通信機器１の通信状態等を表示するものである。本実施の形態において、表示灯群１２は、第１の表示灯１２Ａと第２の表示灯１２Ｂと第３の表示灯１２Ｃと第４の表示灯１２Ｄとを含んでいる。第１の表示灯１２Ａは、例えば通信機器１のエラー状態を報知する表示灯である。第２の表示灯１２Ｂは、例えば通信機器１と空気調和機１００との通信状態を報知する表示灯である。第３の表示灯１２Ｃは、例えば通信機器１とＬＡＮ２００との通信状態を報知する表示灯である。第４の表示灯１２Ｄは、例えば通信機器１と端末３００との通信状態を報知する表示灯である。尚、本実施の形態では、表示灯群１２は４つの表示灯を含んでいるが、これに限るものではない。表示灯群１２を、２つまたは３つの表示灯で構成してもよく、または５つ以上の表示灯で構成してもよい。
【００２２】
図９に示すように、ケース８には、電子回路基板４と内ケース５とが収容されている。電子回路基板４は、通信機器１の全体の制御を行うものであり、抵抗、コンデンサ及びＩＣ等の電子部品が搭載されている。また、電子回路基板４には、接続ケーブル４１及び発光部群４２が設置されている。接続ケーブル４１は、ケース８の下側から取り出され、空気調和機１００の上述の制御部１０５に接続されるものである。
【００２３】
発光部群４２は、第１の発光部４２Ａ、第２の発光部４２Ｂ、第３の発光部４２Ｃ、及び第４の発光部４２Ｄを含んでいる。電子回路基板４の縁部に沿って１列に並置されている。これらの発光部は、例えばＬＥＤ等の発光素子であり、通信機器１の通信状態などに基づいて発光が制御される。
【００２４】
図１３に示されるように、上ケース７のプレート９１の裏面には、導光部群７３が配設されている。導光部群７３は、電子回路基板４の発光部群４２が出射した光を点灯部群７２側に導くものである。導光部群７３は、第１の導光部７３Ａと、第２の導光部７３Ｂと、第３の導光部７３Ｃと、第４の導光部７３Ｄとを含んでいる。第１の導光部７３Ａ、第２の導光部７３Ｂ、第３の導光部７３Ｃ、及び第４の導光部７３Ｄは、四角柱の筒形状を有しており、第１の導光部７３Ａ、第２の導光部７３Ｂ、第３の導光部７３Ｃ、及び第４の導光部７３Ｄは、プレート９１の縁部に沿って１列に並置されており、上ケース７と一体的に形成されている。
【００２５】
点灯部群７２は、凹部７１内において上ケース７と一体的に形成されている。また、点灯部群７２は、導光部群７３と一体的に形成されている。点灯部群７２は、第１の点灯部７２Ａと、第２の点灯部７２Ｂと、第３の点灯部７２Ｃと、第４の点灯部７２Ｄとを含んでいる。第１の点灯部７２Ａ、第２の点灯部７２Ｂ、第３の点灯部７２Ｃ、及び第４の点灯部７２Ｄは平面状に形成され、上ケース７の縁部に沿って１列に配置されている。点灯部群７２の厚さは上ケース７の他の部分の厚さよりも薄い。例えば、点灯部群７２以外の部分の厚さが１．６ｍｍであるのに対して点灯部群７２の厚さが０．３ｍｍとなるよう、上ケース７は構成されている。
【００２６】
図１１に示すように、第１の導光部７３Ａの一方の端部は開口しており、第１の発光部４２Ａの全周を囲んでいる。第１の導光部７３Ａの他方の端部は、凹部７１内において第１の点灯部７２Ａにより塞がれている。第２の導光部７３Ｂの一方の端部は開口しており、第２の発光部４２Ｂの全周を囲んでいる。第２の導光部７３Ｂの他方の端部は、凹部７１内において第２の点灯部７２Ｂにより塞がれている。第３の導光部７３Ｃの一方の端部は開口しており、第３の発光部４２Ｃの全周を囲んでいる。第３の導光部７３Ｃの他方の端部は、凹部７１内において第３の点灯部７２Ｃにより塞がれている。第４の導光部７３Ｄの一方の端部は開口しており、凹部７１内において、第４の発光部４２Ｄの全周を囲んでいる。第４の導光部７３Ｄの他方の端部は、第４の点灯部７２Ｄにより塞がれている。
【００２７】
図１０に示すように、第４の点灯部７２Ｄは、凹部７１において、上ケース７の短手方向の中央側から、凹部７１が形成されている縁部に向かう方向に沿って、下方に、すなわち通信機器１の内方側へ傾斜している。本実施の形態において、第４の点灯部７２Ｄと上ケース７のプレート９１との成す角度は４５度である。図１０では、第４の点灯部７２Ｄのみが図示されているが、第１の点灯部７２Ａ、第２の点灯部７２Ｂ、及び第３の点灯部７２Ｃも同様の態様及び同様の角度で傾斜している。
【００２８】
第１の表示灯１２Ａは、第１の点灯部７２Ａと第１の導光部７３Ａと第１の発光部４２Ａとで構成されている。第１の発光部４２Ａから第１の導光部７３Ａへ向けて光を出射されると、その出射光は第１の導光部７３Ａを通って、第１の点灯部７２Ａの側へ導かれる。第２の表示灯１２Ｂは、第２の点灯部７２Ｂと第２の導光部７３Ｂと第２の発光部４２Ｂとで構成されている。第２の発光部４２Ｂから第２の導光部７３Ｂへ向けて光を出射されると、その出射光は第２の導光部７３Ｂを通って、第２の点灯部７２Ｂの側へ導かれる。第３の表示灯１２Ｃは、第３の点灯部７２Ｃと第３の導光部７３Ｃと第３の発光部４２Ｃとで構成されている。第３の発光部４２Ｃから第３の導光部７３Ｃへ向けて光を出射されると、その出射光は第３の導光部７３Ｃを通って、第３の点灯部７２Ｃの側へ導かれる。第４の表示灯１２Ｄは、第４の点灯部７２Ｄと第４の導光部７３Ｄと第４の発光部４２Ｄとで構成されている。第４の発光部４２Ｄから第４の導光部７３Ｄへ光が出射されると、その出射光は第４の導光部７３Ｄを通って、第４の点灯部７２Ｄの側へ導かれる。
【００２９】
上述のように、上ケース７は透光性を有する材質で形成されている。従って、第１の発光部４２Ａ、第２の発光部４２Ｂ、第３の発光部４２Ｃ、及び第４の発光部４２Ｄからの出射光は、それぞれ第１の点灯部７２Ａ、第２の点灯部７２Ｂ、第３の点灯部７２Ｃ、及び第４の点灯部７２Ｄを透過し、外方へ放射される。
【００３０】
図１２は、実施の形態に係る通信機器の上ケースの凹部の部分拡大図である。上ケース７の凹部７１において、点灯部群７２の表面には、境界壁７４が設けられている。境界壁７４は、第１の境界壁７４Ａと、第２の境界壁７４Ｂと、第３の境界壁７４Ｃとを含んでいる。境界壁７４は、隣接する点灯部の境に上ケース７と一体的に形成されている。すなわち、第１の点灯部７２Ａと第２の点灯部７２Ｂの境に相当する位置に第１の境界壁７４Ａが形成され、第２の点灯部７２Ｂと第３の点灯部７２Ｃの境に第２の境界壁７４Ｂが形成され、第３の点灯部７２Ｃと第４の点灯部７２Ｄの境に第３の境界壁７４Ｃが形成されている。
【００３１】
さらに、本実施の形態では、第１の点灯部７２Ａ、第２の点灯部７２Ｂ、第３の点灯部７２Ｃ、及び第４の点灯部７２Ｄのそれぞれの表面（図１２中の斜線部）には、複数の微小な突起を有する艶消しシボ加工が施されている。
【００３２】
尚、艶消しシボ加工は、点灯部の裏面に施されていても良い。また表面及び裏面に艶消しシボ加工が施されていても良い。
【００３３】
本実施の形態において、点灯部群７２の第１の点灯部７２Ａ、第２の点灯部７２Ｂ、第３の点灯部７２Ｃ、及び第４の点灯部７２Ｄは、それぞれ上ケース７の中央側から凹部７１が形成されている縁部に向かう方向に沿って、通信機器１の内方側へ傾斜している。従って、点灯部群７２を通信機器１の正面及び側面の２方向から視認することができる。また、点灯部群７２を傾斜させることにより、第１の導光部７３Ａ、第２の導光部７３Ｂ、第３の導光部７３Ｃ、及び第４の導光部７３Ｄの横断面形状の面積に対し、対応する第１の点灯部７２Ａ、第２の点灯部７２Ｂ、第３の点灯部７２Ｃ、及び第４の点灯部７２Ｄの面積を大きくとることができる。従って、点灯部群７２の点灯及び消灯をユーザが容易に視認することができる。以上のように、本実施の形態によれば、通信機器１の表示灯群１２の視認性を向上させることができる。
【００３４】
本実施の形態の第１の点灯部７２Ａ、第２の点灯部７２Ｂ、第３の点灯部７２Ｃ、及び第４の点灯部７２Ｄと同じ大きさの面積を有する点灯部を上ケース７の平面と平行な面に沿って配置すると、上ケース７の横方向の長さが長くなり、通信機器１の全体のサイズが大きくなる。しかしながら、本実施の形態のように、点灯部群７２を傾斜させることにより、横方向のサイズの増大を抑制しつつ、広い発光面積を確保することができる。
【００３５】
本実施の形態の第１の点灯部７２Ａ、第２の点灯部７２Ｂ、第３の点灯部７２Ｃ、及び第４の点灯部７２Ｄと同じ大きさの面積を有する点灯部を上ケース７の平面に垂直な面に沿って配置すると、第１の導光部７３Ａ、第２の導光部７３Ｂ、第３の導光部７３Ｃ、及び第４の導光部７３Ｄにより導かれた光を反射させて第１の点灯部７２Ａ、第２の点灯部７２Ｂ、第３の点灯部７２Ｃ、及び第４の点灯部７２Ｄに導くための部材が必要となる。しかしながら、本実施の形態のように点灯部群７２傾斜させることにより、部品点数を増加させることなく、出射光を外方へ出射させることができる。
【００３６】
さらに、本実施の形態では、点灯部群７２は、上ケース７の表面に対し４５°で傾斜している。従って、上述の視認性をより高めることができる。
【００３７】
第１の導光部７３Ａ、第２の導光部７３Ｂ、第３の導光部７３Ｃ、及び第４の導光部７３Ｄは筒状であり、それぞれ一方の端部は発光部群４２の対応する発光部の周囲を囲み、他方の端部は点灯部群７２の対応する点灯部により覆われている。従って、各発光部から出射され対応する点灯部に導かれる光の減衰量を抑えることができる。
【００３８】
点灯部群７２と導光部群７３とは一体的に形成され、かつ点灯部群７２及び導光部群７３は上ケース７に一体的に形成されている。従って、部品点数を増やすことがなく経済的である。
【００３９】
点灯部群７２は、その厚さが上ケース７の他の部分の厚さよりも薄くなるよう形成されている。従って、発光部群４２から出射された光の透過性を確保することができる。
【００４０】
第１の点灯部７２Ａと第２の点灯部７２Ｂの境に相当する位置に第１の境界壁７４Ａが形成され、第２の点灯部７２Ｂと第３の点灯部７２Ｃの境に第２の境界壁７４Ｂが形成され、第３の点灯部７２Ｃと第４の点灯部７２Ｄの境に第３の境界壁７４Ｃが形成されている。従って、発光部群４２の隣接する各発光部が点灯または点滅した場合に、それぞれの光を分離することができる。すなわち、点灯部群７２の隣接する点灯部の点灯状態を明確に区別することができ、ユーザが点灯部群７２の点灯状態を誤認することが防止される。また、日光や室内の照明等により境界壁７４の各境界壁の影が点灯部群７２にかかるため、より視認性が良くなる。従って、部品点数を増やすこと無く、安価に、ユーザに点灯箇所を明確に視認させる通信機器１を得ることができる。
【００４１】
第１の点灯部７２Ａ、第２の点灯部７２Ｂ、第３の点灯部７２Ｃ、及び第４の点灯部７２Ｄのそれぞれの表面は、艶消しシボ加工が施されており、複数の微小な突起を有している。従って、点灯部群７２から出射される光の拡散性を向上することができ、より視認性が高まる。また、艶消しシボ加工を施すことにより、点灯部群７２の表面に光沢がなくなるため、日光や室内の照明等が点灯部群７２表面に反射して、発光部群４２から出射された光の視認性が悪化することを防ぐことができる。また、点灯部群７２の表面に艶消しシボ加工を施しているため、部品点数を増やすが少なく、安価な通信機器１を得ることができる。
【００４２】
本実施の形態において通信機器１は、空気調和機１００の収納部１０３に着脱自在に取り付けられ、前面パネル１０１を閉じることにより覆われる。従って、空気調和機１００の前面パネル１０１を開けて、通信機器１を取り出すことにより、通信機器１の設定、及び通信状態等の確認を行うことができる。一方、通信機器１を空気調和機１００の収納部１０３に取り付けた状態で、前面パネル１０１を閉じることにより、表示灯群１２は空気調和機１００を構成する部材により覆われる。その結果、通信機器１の表示灯群１２が発する光がユーザの目に直接的に入ることを抑制でき、表示灯群１２の表示が目障りにならない空気調和機１００を得ることができる。
【符号の説明】
【００４３】
１  通信機器、２  下ケース、４  電子回路基板、５  内ケース、７  上ケース、８  ケース、１１  操作部、１２  表示灯群、１２Ａ  第１の表示灯、１２Ｂ  第２の表示灯、１２Ｃ  第３の表示灯、１２Ｄ  第４の表示灯、２１  プレート、２２  内壁、２３  基板収容部、４１  接続ケーブル、４２  発光部群、４２Ａ  第１の発光部、４２Ｂ  第２の発光部、４２Ｃ  第３の発光部、４２Ｄ  第４の発光部、５１  フランジ部、７１  凹部、７２  点灯部群、７２Ａ  第１の点灯部、７２Ｂ  第２の点灯部、７２Ｃ  第３の点灯部、７２Ｄ  第４の点灯部、７３  導光部群、７３Ａ  第１の導光部、７３Ｂ  第２の導光部、７３Ｃ  第３の導光部、７３Ｄ  第４の導光部、７４  境界壁、７４Ａ  第１の境界壁、７４Ｂ  第２の境界壁、７４Ｃ  第３の境界壁、９１  プレート、９２  外壁、９３  基板収容部、１００  空気調和機、１０１  前面パネル、１０２  吸込口、１０３  収納部、１０３Ａ  係止部、１０３Ｂ  係止部、１０４  吹出口、１０５  制御部、２００  ＬＡＮ、３００  端末、４００  機器。
【図１】
0006644169.tif 000002
【図２】
0006644169.tif 000003
【図３】
0006644169.tif 000004
【図４】
0006644169.tif 000005
【図５】
0006644169.tif 000006
【図６】
0006644169.tif 000007
【図７】
0006644169.tif 000008
【図８】
0006644169.tif 000009
【図９】
0006644169.tif 000010
【図１０】
0006644169.tif 000011
【図１１】
0006644169.tif 000012
【図１２】
0006644169.tif 000013
【図１３】
0006644169.tif 000014